(57)【要約】      （修正有）【課題】簡易な方法で適切に複数の機器に対する管理用番号の割り付けを行うことができる管理用番号の割り付け方法および店舗設備を提供することを目的とする。【解決手段】パソコン７から、リセット指令がＤＴＣ６に送信されると（Ｂ２）、そのリセット指令を受信したＤＴＣ６は、全てのランドリー機器１〜５に対してカウントのリセット指令を送信する（Ｃ１）。そして、全てのランドリー機器がリセット指令を受信し、カウントをリセットする（Ｄ１）。その後、コイン８が投入された機器のみが割り付け番号の信号を受け付けて（Ｄ５）、その信号に応じて割り付け番号をメモリ（図示せず）に記憶する（Ｄ６）。このように、ユーザは、各投入口１１，２１，３１，４１，５１にコイン８を投入することで各ランドリー機器１〜５に割り付け番号を割り付けることができるので、各ランドリー機器１〜５に割り付け番号を割り付けるための作業が簡易なものになる。【選択図】図２
2005349034.tif 000002
【特許請求の範囲】
【請求項１】
店舗内に設置され、カードまたはコインの投入口と、上記投入口への投入をカウントするカウンタとを有し、カードまたはコインが上記投入口から投入されることにより所定の動作が可能となる複数の機器と、上記複数の機器と接続された店舗内コントローラとを備えた店舗設備において、上記店舗内コントローラが上記複数の機器を管理するために必要な番号を各機器に割り付けるための方法であって、
上記店舗内コントローラから上記複数の機器に対して割り付け開始指令を送信し、
上記複数の機器が、送信されてきた上記割り付け開始指令を受信して機器を割り付け開始状態にし、
上記割り付け開始状態にされた機器のいずれかに対し、カードまたはコインがその投入口へ投入されることにより、当該投入された機器は投入があったことを上記店舗内コントローラへ通知し、
上記店舗内コントローラは、上記通知に応答して割り付け番号をその機器へ送信し、
上記割り付け番号を受信した機器は、それをメモリに記憶して番号が割り付けられた割り付け状態となることを特徴とする管理用番号の割り付け方法。
【請求項２】
上記割り付け開始指令は、上記複数の機器に対して各機器に備えられた上記カウンタのリセット指令を送信するものであり、
上記複数の機器は、上記送信されてきたリセット指令を受信して上記カウンタをリセットすることで、上記割り付け開始状態にされるものであることを特徴とする請求項１に記載の管理用番号の割り付け方法。
【請求項３】
上記リセット指令を受信して上記カウンタをリセットした機器は、そのリセットを報知することを特徴とする請求項２に記載の管理用番号の割り付け方法。
【請求項４】
上記割り付け状態となった機器は、割り付けられたことを報知することを特徴とする請求項１〜３のいずれかに記載の管理用番号の割り付け方法。
【請求項５】
上記店舗内コントローラとデータの送受信が可能なパーソナルコンピュータを用い、上記店舗内コントローラに対し上記番号を割り付けるためのデータを送信し、かつ、受信することにより上記各機器への番号割り付けを行うことを特徴とする請求項１〜４のいずれかに記載の管理用番号の割り付け方法。
【請求項６】
店舗内に設置され、カードまたはコインの投入口と、上気投入口への投入をカウントするカウンタと、割り付け番号が記憶されるメモリとを有し、カードまたはコインが上記投入口から投入されることにより所定の動作が可能となる複数の機器と、上記複数の機器と接続された店舗内コントローラとを備えた店舗設備において、
上記店舗内コントローラから上記複数の機器に対して割り付け開始指令を送信させるための割り付け開始指令送信手段と、
上記各機器に備えられ、上記送信される割り付け開始指令に応答して機器を割り付け開始状態にする手段と、
上記各機器に備えられ、上記割り付け開始状態にされた後に上記投入口にカードまたはコインが投入されたときは、その投入があったことを上記店舗内コントローラへ通知する手段と、
上記店舗内コントローラへ上記通知があったことに応答して、上記店舗内コントローラから上記通知をしてきた機器に対して割り付け番号を送信させる割り付け番号送信手段と、
上記各機器に備えられ、上記割り付け番号を受信したときにその番号を上記メモリに記憶する手段と、を含むことを特徴とする店舗設備。
【請求項７】
上記割り付け開始指令送信手段は、上記複数の機器に対して各機器に備えられた上記カウンタのリセット指令を送信するリセット指令送信手段を含み、
上記割り付け開始状態にする手段は、上記送信されてきたリセット指令を受信して上記カウンタをリセットする手段を含むことを特徴とする請求項６に記載の店舗設備。
【請求項８】
上記リセット指令送信手段および割り付け番号送信手段は、上記店舗内コントローラと通信可能に接続されたパーソナルコンピュータを含むことを特徴とする請求項７に記載の店舗設備。
【請求項９】
上記各機器は、上記カウンタがリセットされたことおよび上記割り付け番号が上記メモリに記憶されたことを報知するための報知手段を有することを特徴とする請求項７または８に記載の店舗設備。
【請求項１０】
上記報知手段は、上記カウンタがリセットされたときと、上記メモリに上記割り付け番号が記憶されたときとで、異なる報知を行うことを特徴とする請求項９に記載の店舗設備。
【発明の詳細な説明】
【技術分野】
【０００１】
この発明は、店舗に備えられた複数の機器に対して管理用の番号を割り付ける方法およびかかる割り付け方法を行う店舗設備に関する。
【背景技術】
【０００２】
店舗内に設置された複数の機器（たとえば、複数のランドリー機器）と、その複数の機器と接続された店舗内コントローラとを有する店舗設備においては、店舗内コントローラが、外部から受信した信号などに応じて複数の機器の動作を管理する。
この場合、店舗内コントローラは、各機器をそれぞれ適切に管理するために（各機器を区別するために）、各機器に番号を割り付ける必要がある。これにより、店舗内コントローラは、その割り付けられた番号によって各機器を区別し、各機器の動作を適切に管理する。
【０００３】
このような管理を行う構成の例が特許文献１に記載されている。
【特許文献１】特開平０６−２０５９００号公報
【発明の開示】
【発明が解決しようとする課題】
【０００４】
ところで、管理用番号の割り付け方法においては、一般的に、各機器と店舗内コントローラとの間に接続されているインターフェース基板の所定のスイッチで番号を設定している。このため、ユーザの操作ミスにより、複数の機器において同じ番号を設定してしまうことがあり、その結果、店舗内コントローラが各機器を区別できず、適切な管理ができないといった問題が生じるおそれがある。
【０００５】
また、インターフェース基盤は、機器の内部に取り付けられているため、番号を変更する場合には、逐一各機器の外部のプレートなどを外す必要があり、その作業は煩雑である。
この発明は、かかる技術背景のもとになされたものであり、簡易な方法で適切に複数の機器に対する管理用番号の割り付けを行うことができる管理用番号の割り付け方法および店舗設備を提供することを目的とする。
【課題を解決するための手段】
【０００６】
上記目的を達成するための請求項１に記載の発明は、店舗内に設置され、カードまたはコイン（８）の投入口（１１，２１，３１，４１，５１）と、上記投入口への投入をカウントするカウンタとを有し、カードまたはコインが上記投入口から投入されることにより所定の動作が可能となる複数の機器（１〜５）と、上記複数の機器と接続された店舗内コントローラ（６）とを備えた店舗設備において、上記店舗内コントローラが上記複数の機器を管理するために必要な番号を各機器に割り付けるための方法であって、上記店舗内コントローラから上記複数の機器に対して割り付け開始指令を送信し（Ｂ２）、上記複数の機器が、送信されてきた上記割り付け開始指令を受信して機器を割り付け開始状態にし（Ｄ１）、上記割り付け開始状態にされた機器のいずれかに対し、カードまたはコインがその投入口へ投入されることにより（Ｄ３）、当該投入された機器は投入があったことを上記店舗内コントローラへ通知し（Ｄ４）、上記店舗内コントローラは、上記通知に応答して割り付け番号をその機器へ送信し（Ｃ３）、上記割り付け番号を受信した機器は、それをメモリに記憶して番号が割り付けられた割り付け状態となる（Ｄ６）ことを特徴とする管理用番号の割り付け方法である。
【０００７】
なお、括弧内の英数字は、後述の実施形態における対応構成要素などを表す。以下、この項において同じ。
この方法によれば、投入口にカードまたはコインが投入された機器が割り付け状態とされる。すなわち、各機器に対して番号を割り付けるユーザ（たとえば、店舗オーナーやメンテナンス業者）は、投入口にカードまたはコインを投入すれば各機器を割り付け状態にすることができるので、各機器に対して割り付け番号を割り付けるための作業が簡易なものになる。
【０００８】
また、請求項２に記載の発明のように、上記割り付け開始指令は、上記複数の機器に対して各機器に備えられた上記カウンタのリセット指令を送信するものであり（Ｂ２）、上記複数の機器は、上記送信されてきたリセット指令を受信して上記カウンタをリセットすることで（Ｄ１）、上記割り付け開始状態にされるものであることを特徴とする請求項１に記載の管理用番号の割り付け方法であってもよい。
【０００９】
請求項３に記載の発明は、上記リセット指令を受信して上記カウンタをリセットした機器（１〜５）は、そのリセットを報知する（Ｄ２）ことを特徴とする請求項２に記載の管理用番号の割り付け方法である。
この方法によれば、ユーザは、報知によって、リセットされた機器を容易に知ることができる。よって、リセットされた機器を知るために、その機器の内部機構を確認するなどの動作を省くことができ、操作性が向上する。
【００１０】
なお、報知とは、たとえば、所定の音による報知であったり、所定の表示による報知であったりする。
請求項４に記載の発明は、上記割り付け状態となった機器（１〜５）は、割り付けられたことを報知する（Ｄ８）ことを特徴とする請求項１〜３のいずれかに記載の管理用番号の割り付け方法である。
【００１１】
この方法によれば、ユーザは、報知によって、割り付け状態となった機器を容易に知ることができる。よって、割り付け状態にされた機器を知るために、その機器の内部機構を確認するなどの動作を省くことができ、操作性が向上する。
なお、報知とは、たとえば、所定の音による報知であったり、所定の表示による報知であったりする。
【００１２】
また、この場合は、割り付けられたときの報知と上記リセットの報知とが区別できるものであることが望ましい。このようにすれば、ユーザは、報知によって、機器が割り付けられたものであるのかカウンタがリセットされたものであるのかを区別することができる。
請求項５に記載の発明は、上記店舗内コントローラ（６）とデータの送受信が可能なパーソナルコンピュータ（７）を用い、上記店舗内コントローラに対し上記番号を割り付けるためのデータを送信し（Ｂ２）、かつ、受信することにより上記各機器への番号割り付けを行うことを特徴とする、請求項１〜４のいずれかに記載の管理用番号の割り付け方法である。
【００１３】
この方法によれば、パーソナルコンピュータから番号を割り付ける機器ごとに異なるデータを送信することで、各機器に対して確実に異なる割り付け番号を割り付けることができる。よって、各機器の割り付け番号が同一になることを防ぐことができるので、店舗名内コントローラによる各機器の管理を適切に行うことができる。
また、この場合に、店舗内コントローラとパーソナルコンピュータとは、たとえば、ＬＡＮによって接続されるものであってもよいし、インターネットを介して接続されるものであってもよい。
【００１４】
また、パーソナルコンピュータから店舗内コントローラへのデータの送信は一定条件のもとに自動的に行われるものであってもよい。このようにすれば、ユーザのパーソナルコンピュータ上での操作を簡易なものとすることができる。
さらに、パーソナルコンピュータから店舗内コントローラへのデータの送信を、自動または手動に切り替えて行うことができるものであってもよい。このようにすれば、パーソナルコンピュータからのデータの送信を適切に行なうことができる。たとえば、パーソナルコンピュータからの送信を手動に切り替えることで、各機器に対する所望のデータを店舗内コントローラに送信して、各機器に所望の割り付け番号を割り付けることもできる。
【００１５】
請求項６に記載の発明は、店舗内に設置され、カードまたはコイン（８）の投入口（１１，２１，３１，４１，５１）と、上気投入口への投入をカウントするカウンタと、割り付け番号が記憶されるメモリとを有し、カードまたはコインが上記投入口から投入されることにより所定の動作が可能となる複数の機器（１〜５）と、上記複数の機器と接続された店舗内コントローラ（６）とを備えた店舗設備において、上記店舗内コントローラから上記複数の機器に対して割り付け開始指令を送信させるための割り付け開始指令送信手段（Ｂ２）と、上記各機器に備えられ、上記送信される割り付け開始指令に応答して機器を割り付け開始状態にする手段（Ｄ１）と、上記各機器に備えられ、上記割り付け開始状態にされた後に上記投入口にカードまたはコインが投入されたときは、その投入があったことを上記店舗内コントローラへ通知する手段（Ｄ４）と、上記店舗内コントローラへ上記通知があったことに応答して、上記店舗内コントローラから上記通知をしてきた機器に対して割り付け番号を送信させる割り付け番号送信手段（Ｂ８）と、上記各機器に備えられ、上記割り付け番号を受信したときにその番号を上記メモリに記憶する手段（Ｄ６）と、を含むことを特徴とする店舗設備である。
【００１６】
この構成によれば、割り付け開始状態にされた機器が、その投入口にカードまたはコインが投入されたことに応答して、割り付け番号を受信してその番号をメモリに記憶する。すなわち、各機器に対して番号を割り付けるユーザは、投入口にカードまたはコインを投入すれば各機器を割り付け状態にすることができるので、各機器に対して割り付け番号を割り付けるための作業が簡易なものになる。
【００１７】
また、請求項７に記載の発明のように、上記割り付け開始指令送信手段（Ｂ２）は、上記複数の機器に対して各機器に備えられた上記カウンタのリセット指令を送信するリセット指令送信手段（Ｂ２）を含み、上記割り付け開始状態にする手段（Ｄ１）は、上記送信されてきたリセット指令を受信して上記カウンタをリセットする手段（Ｄ１）を含むことを特徴とする請求項６に記載の店舗設備であってもよい。
【００１８】
請求項８に記載の発明は、上記リセット指令送信手段（Ｂ２）および割り付け番号送信手段（Ｂ８）は、上記店舗内コントローラ（６）と通信可能に接続されたパーソナルコンピュータ（７）を含むことを特徴とする請求項７に記載の店舗設備である。
この構成によれば、リセット指令および割り付け番号の送信をパーソナルコンピュータの操作により行なうことができる。これにより、パーソナルコンピュータから異なる割り付け番号を送信することで、各機器に対して確実に異なる割り付け番号を割り付けることができる。よって、各機器の割り付け番号が同一になることを防ぐことができるので、店舗名内コントローラによる各機器の管理を適切に行うことができる。
【００１９】
また、パーソナルコンピュータからの割り付け番号の送信は一定条件のもとに自動的に行われるものであってもよい。このようにすれば、ユーザのパーソナルコンピュータ上での操作を簡易なものとすることができる。
さらに、パーソナルコンピュータから店舗内コントローラからの割り付け番号の送信を、自動または手動に切り替えて行うことができるものであってもよい。このようにすれば、パーソナルコンピュータからの割り付け番号の送信を適切に行なうことができる。たとえば、パーソナルコンピュータからの送信を手動に切り替えることで、各機器に対する所望の割り付け番号を店舗内コントローラに送信して、各機器に所望の割り付け番号を割り付けることもできる。
【００２０】
請求項９に記載の発明は、上記各機器（１〜５）は、上記カウンタがリセットされたことおよび上記割り付け番号が上記メモリに記憶されたことを報知するための報知手段（１２，２２，３２，４２，５２，Ｄ２，Ｄ８）を有することを特徴とする請求項７または８に記載の店舗設備である。
この構成によれば、ユーザは、報知によって、リセットされた機器および割り付け番号が記憶された機器を容易に知ることができる。よって、これらの機器を知るために、機器の内部機構を確認するなどの動作を省くことができ、操作性が向上する。
【００２１】
なお、報知とは、たとえば、所定の音による報知であったり、所定の表示による報知であったりする。
請求項１０に記載の発明は、上記報知手段（１２，２２，３２，４２，５２，Ｄ２，Ｄ８）は、上記カウンタがリセットされたとき（Ｄ１）と、上記メモリに上記割り付け番号が記憶されたとき（Ｄ６）とで、異なる報知を行うことを特徴とする請求項９に記載の店舗設備である。
【００２２】
この構成によれば、ユーザは、報知の違いによって、報知がされた機器が、カウンタがリセットされたものであるのか割り付け番号が記憶されたものであるのかを区別することができる。
【発明を実施するための最良の形態】
【００２３】
以下では、この発明の実施の形態を、添付図面を参照して詳細に説明する。
図１は、この発明の一実施形態にかかる店舗設備の全体構成を示すブロック図である。
この店舗設備には、ランドリー機器(洗濯機または乾燥機)１〜５と、店舗内回線を介してランドリー機器１〜５に接続された店舗内コントローラとしてのＤＴＣ６と、通信回線を介してＤＴＣ６に接続されたパソコン７とが備えられている。すわわち、この店舗設備は、いわゆるランドリー店舗の店舗設備である。
【００２４】
ランドリー機器１は、コイン(貨幣または紙幣)８を投入するための投入口１１および表示部１２を備えている。同様に、ランドリー機器２は、投入口２１および表示部２２を備えており、ランドリー機器３は、投入口３１および表示部３２を備えており、ランドリー機器４は、投入口４１および表示部４２を備えており、ランドリー機器５は、投入口５１および表示部５２を備えている。また、各ランドリー機器は、各投入口にコイン８が投入されたことをカウントするカウンタ（図示せず）を備えている。各ランドリー機器は、各投入口にコイン８が投入されることで、運転可能の状態とされる。
【００２５】
この店舗設備においては、ＤＴＣ６が各機器に対して動作信号を送信することで、各機器が作動する。すなわち、各機器の動作は、ＤＴＣ６によって管理されている。ここで、ＤＴＣ６は、各機器に対して適切な動作信号を送信するために各機器を区別する必要がある。そのため、各機器に割り付け番号が割り付けられる。
割り付け番号の割り付けにおいては、まず、パソコン７から、番号割り付けの指令がＤＴＣ６に送信される（Ａ１）。そして、ＤＴＣ６が、パソコン７からの指令に基づいた信号を各機器に対して送信する。番号が割り付けられる機器(図１においては、ランドリー機器２)は、信号を受け付け、信号に応じた番号を設定するとともに、ＤＴＣ６に割付完了を通知する（Ａ２）。このようにして、各機器に順次割り付け番号が割り付けられていく。
【００２６】
ここで、この実施形態においては、各ランドリー機器が、ＤＴＣ６からの信号を受け付けるにあたっての工夫がなされている。以下、より具体的に説明する。
図２は、店舗設備における割り付け番号の設定の流れを説明するための図である。また、図３は、パソコン７の表示画面を示す図であり、図３（ａ）は、初期設定画面が表示された表示画面を示しており、図３（ｂ）は、設定画面が表示された表示画面を示している。
【００２７】
各機器の割り付け番号を設定しようとするユーザ（設定者）は、まず、パソコン７を操作して、割り付け番号を設定するための初期設定画面を表示画面に表示させる(図３（ａ）参照)。そして、初期設定画面において、機器設置台数欄７１に５台と入力する。また、割り付け番号の設定を自動により行うか手動により行うかを選択する。ここでは、設定を手動により行うことが選択されたとする。すなわち、ユーザは、設定モード欄７２にＭ（手動）と入力する（Ｂ１）。
【００２８】
そして、設定キー７３を選択すると、パソコン７の表示画面に図３（ｂ）に示す設定画面が表示される。なお、このとき、設置台数が未入力であったり、設定モードが未入力であったりすると、図３（ａ）のメッセージ欄７４に「○○○○が未入力です。入力して再度設定キーを選択してください」と表示される。
パソコン７の表示画面に設定画面が表示されると、パソコン７から、割り付け開始指令として、割り付け番号が未設定（００番）の機器に対するカウンタの投入カウント（以下単に「カウント」とする）のリセット指令がＤＴＣ６に送信される（Ｂ２）。そして、そのリセット指令を受信したＤＴＣ６は、ランドリー機器１〜５に対してカウントのリセット指令を送信する（Ｃ１）。
【００２９】
ＤＴＣ６から送信されたリセット指令は、未だ割り付け番号が割り付けられていない機器が受信する。すなわち、この実施形態では、ランドリー機器１〜５がリセット指令を受信し、カウントをリセットする（Ｄ１）。
そして、カウントをリセットしたランドリー機器１〜５は、各表示部に「００」を表示点滅させることで、ユーザに対して、カウントをリセットしたことを報知する（Ｄ２）。そして、ランドリー機器１〜５は、各投入口にコイン８が投入されるのを待機する（Ｄ３）。
【００３０】
この状態において、パソコン７の表示画面には、上述のように、図３（ｂ）に示す設定画面が表示されており、「割り付けられる番号は１〜５番までです。」と、「設定モード  Ｍ」と表示されている（この割り付け番号の数字および設定モードの表示は、(Ｂ１)において入力されたものと対応している）。また、中止キー７５、戻るキー７６および完了キー７７が表示されており、ユーザは、この状態において、これらのキーを選択することができる。すなわち、中止キー７５を選択すれば、現在行われている操作が中止される（Ｂ３）。また、戻るキー７６を選択すれば、パソコン７の表示画面に図３（ａ）に示す初期設定画面が再度表示される。なお、完了キー７７は、後述するように、全ての操作が完了したときに選択される。
【００３１】
また、設定画面には、番号欄、機器名欄、機器型式欄、シリアルＮｏ欄、カウンタ値欄、割り付けキー欄および設定状態欄が、番号１〜５ごとに表示されている（未入力部分は空白）。
各ランドリー機器の各表示部により、カウントがリセットされたことを確認したユーザは、割り付け番号を割り付ける機器の投入口にコイン８を投入する（Ｂ４）。ここでは、ユーザは、まず、ランドリー機器１の投入口１１にコイン８を投入する。そして、コイン８が投入されたランドリー機器１は、コイン８が投入されたことをＤＴＣ６に通知する（Ｄ４）。
【００３２】
コイン８投入の通知を受けたＤＴＣ６は、パソコン７にその旨を通知する（Ｃ２）。また、設定モードにおいて手動による設定が選択されているので（Ｂ５）、パソコン７は、割り付け番号が手動により指定されるのを待機する（Ｂ６）。すなわち、ユーザは、ランドリー機器１に対して割り付けたい番号を１〜５のうちから選択する。そして、その番号の割り付けキー欄から開始キーを選択する。たとえば、ランドリー機器１に対して割り付け番号として１番を割り付ける場合には、１番の割り付けキー欄から開始キー７８を選択する（Ｂ７）。そして、ＤＴＣ６に、割り付け番号１の信号と機器の型式を要求する信号とを送信する（Ｂ８）。この状態で、表示画面において、１番の設定状態欄に「設定中」と表示される。
【００３３】
パソコン７からの信号を受信したＤＴＣ６は、各ランドリー機器に対して割り付け番号１の信号と機器の型式を要求する信号とを送信する（Ｃ３）。各機器はＤＴＣ６からの信号を受け付けるが、信号を受け付けた機器のうち、（Ｄ１）においてコインが投入された機器のみがその信号に応じた動作を行う。すなわちランドリー機器１のみがＤＴＣ６からの信号を受け付けて（Ｄ５）、その信号に応じて割り付け番号１をメモリ（図示せず）に記憶する（Ｄ６）。そして、ランドリー機器１は、割り付け番号１の信号と自己の機器の型式の信号をＤＴＣ６に返信する（Ｄ７）。同時に、ランドリー機器１は、表示部１２に「１」と表示する（Ｄ８）。
【００３４】
ランドリー機器１からの信号を受信したＤＴＣ６は、パソコン７に、割り付け番号１の信号およびランドリー機器１の型式の信号を返信する（Ｃ４）。
ＤＴＣ６からの信号を受信したパソコン７は、表示画面において、１番の機器名欄、機器型式欄およびカウンタ値欄に、ランドリー機器１に対応する所定の名称および値を表示する。また、設定モードが手動とされているので（Ｂ１０）、ユーザは、１番のシリアルＮｏ欄に所定のシリアルＮｏを入力し、割り付けキー欄からＯＫキー７９を選択する（Ｂ１１）。そして、パソコン７は、ランドリー機器１に対して番号確定信号を送信する（Ｂ１２）。
【００３５】
パソコン７からの信号を受信したＤＴＣ６は、ランドリー機器１に対して番号確定信号を送信する（Ｃ５）。ＤＴＣ６からの番号確定信号を受信したランドリー機器１は、割り付け番号１をハードディスクなどの記憶装置に保存する（Ｄ９）。そして、ＤＴＣ６に、割り付け番号を保存したことを通知する（Ｄ１０）。
また、ＤＴＣ６は、ランドリー機器１が割り付け番号を保存したことをパソコン７に通知し（Ｃ６）、パソコン７は、表示画面において、１番の設定状態欄に「設定済」と表示する（Ｂ１３）。そして、パソコン７は、全ての機器に対して割り付け番号が設定されたか否かを判断し（Ｂ１４）、全ての機器の設定が完了するまで上記動作を繰り返す（Ｂ１４→Ｂ２）。また、この状態においては、たとえば、パソコン７の表示画面のメッセージ欄８０に、「次の機器にコインを投入してください。」と表示される。
【００３６】
そして、ユーザは、全ての機器に対する割り付け番号の設定が完了すると、完了キー７７を選択して動作を終了する。このようにして、ランドリー機器１〜５に順次割り付け番号が割り付けられていく。
なお、上記説明では、（Ｂ１）において、設定モードを手動としたが、設定モードを自動とすることもできる。設定モードを自動として設定すると、手動で割り付け番号を選択する動作が自動化される（Ｂ５→Ｂ９→Ｂ８）。この場合は、各機器に対して、１番から順に割り付け番号が設定されていく。同様に、（Ｂ１１）において行うＯＫキーの選択動作も省かれる（Ｂ１０→Ｂ１２）。これにより、ユーザがパソコン７において行う操作を簡易なものとすることができる。
【００３７】
以上のように、この実施形態では、各ランドリー機器のうち、各投入口にコイン８が投入された機器に、割り付け番号が割り付けられる。すなわち、各ランドリー機器に対して番号を割り付けるユーザは、各投入口にコイン８を投入すれば各ランドリー機器に割り付け番号を割り付けることができるので、各ランドリー機器に対して割り付け番号を割り付けるための作業が簡易なものになる。
【００３８】
また、ユーザは、各ランドリー機器の各表示部に「００」が点滅表示されていることによって、カウントがリセットされた機器を容易に知ることができる。さらに、各ランドリー機器の各表示部に割り付け番号が表示されていることによって、割り付け状態となった機器を容易に知ることができる。すなわち、ユーザは、各表示部の表示方法の違いによって、各ランドリー機器が、カウントがリセットされたものであるのか割り付け番号が記憶されたものであるのかを区別することができるので、操作性が向上する。
【００３９】
また、パソコン７から、割り付け動作ごとに異なる割り付け番号の信号をＤＴＣ６に送信することで、各ランドリー機器に対して確実に異なる割り付け番号を割り付けることができる。よって、各ランドリー機器の割り付け番号が同一になることを防ぐことができる。
なお、上述の説明においては、割り付け開始指令として、リセット指令が送信されたが、割り付け開始指令は、各機器が割り付け開始の状態にされるものであればよくリセット指令に限られない。また、その際には、割り付け開始指令を受信した機器にコイン８が投入されることで、上述の場合と同様に、割り付け動作が行われる。
【００４０】
この発明は、以上説明した実施形態に限定されるものではなく、請求項記載の範囲内において種々の変更が可能である。
たとえば、各ランドリー機器の各投入口に投入するものは、コイン８に限られず、有価価値が記憶されたＩＣカードなどの記憶媒体であってもよい。
また、各ランドリー機器は、ユーザに対して所定の動作状態を各表示部の表示によって報知するものに限らず、ブザー音などの音により報知するものであってもよい。この場合は、報知する動作状態の種類に応じてブザー音の回数を変えるなど、報知によってユーザが各ランドリー機器の動作状態を区別できるものであることが望ましい。
【図面の簡単な説明】
【００４１】
【図１】この発明の一実施形態にかかる店舗設備の全体構成を示すブロック図である。
【図２】店舗設備における割り付け番号の設定の流れを説明するための図である。
【図３】パソコンの表示画面を示す図である。
【符号の説明】
【００４２】
１〜５  ランドリー機器
６      ＤＴＣ
７      パソコン
８      コイン
１１，２１，３１，４１，５１    投入口
１２，２２，３２，４２，５２    表示部
【図１】
2005349034.tif 000003
【図２】
2005349034.tif 000004
【図３】
2005349034.tif 000005